【手続補正書】
【提出日】平成19年7月10日(2007.7.10)
【手続補正１】
【補正対象書類名】明細書
【補正対象項目名】特許請求の範囲
【補正方法】変更
【補正の内容】
【特許請求の範囲】
【請求項１】
細動除去装置であって、
患者に結合するための１対の電極と、
前記１対の電極に結合されたＨＶスイッチと、及び
前記ＨＶスイッチを介して、前記患者にインピーダンス補償された細動除去パルスを送出するためのエネルギー蓄積コンデンサネットワークと、
を含む、細動除去装置。
【請求項２】
前記エネルギー蓄積コンデンサネットワークが、複数の構成に従って配置される複数のコンデンサを含む、請求項１に記載の細動除去装置。
【請求項３】
前記エネルギー蓄積コンデンサネットワークに結合されて、前記コンデンサのそれぞれを充電するための高電圧充電器を更に含む、請求項２に記載の細動除去装置。
【請求項４】
前記高電圧充電器と前記コンデンサのそれぞれとの間に挿入された１組の充電スイッチを更に含む、請求項３に記載の細動除去装置。
【請求項５】
前記１対の電極に結合されて、患者インピーダンスを供給するフロントエンドと、
前記フロントエンドに結合されて、前記患者インピーダンスを取得し、また前記エネルギー蓄積コンデンサネットワークに結合されて、前記患者インピーダンス及び選択されるエネルギーレベルに基づいて前記構成の１つを選択するコントローラと、
を更に含む、請求項２に記載の細動除去装置。
【請求項６】
前記コントローラが、前記ＨＶスイッチに結合されて、前記インピーダンス補償された細動除去パルスの持続時間及び極性を制御する、請求項５に記載の細動除去装置。
【請求項７】
前記インピーダンス補償された細動除去パルスが、単相、二相、及び多相のパルスのうちの１つを含む、請求項６に記載の細動除去装置。
【請求項８】
前記選択されるエネルギーレベルが、あるレベルに固定される、請求項５に記載の細動除去装置。
【請求項９】
前記選択されるエネルギーレベルが、プロトコルに従って決定される、請求項５に記載の細動除去装置。
【請求項１０】
前記選択されるエネルギーレベルが、ユーザによって手動で選択される、請求項５に記載の細動除去装置。
【請求項１１】
前記選択されるエネルギーレベルが、前記患者インピーダンスの関数として決定される、請求項５に記載の細動除去装置。
【請求項１２】
前記エネルギー蓄積コンデンサネットワークが、
前記ＨＶスイッチに対して直列及び並列に結合された複数のコンデンサと、及び
前記コンデンサのそれぞれとアースとの間に結合された複数のスイッチと、
を含み、
前記エネルギー蓄積コンデンサネットワークが、前記構成のうちの１つに従って前記複数のスイッチを設定することによって、インピーダンス補償された細動除去パルスを送出するように構成されている、
請求項２に記載の細動除去装置。
【請求項１３】
前記インピーダンス補償された細動除去パルスが、最大値より低いピーク電流を有する、請求項１に記載の細動除去装置。
【請求項１４】
前記エネルギー蓄積コンデンサネットワークが、
複数のセクションであって、そのセクションのそれぞれが、直列に結合されたコンデンサ、抵抗器、及びダイオードを含み、そのセクションのそれぞれが、前記ＨＶスイッチに対して並列に結合されている、複数のセクションを含み、
前記コンデンサのそれぞれが、ランク順に従ってある充電電圧まで充電され、前記抵抗器のそれぞれが、前記ランク順に従って選択される抵抗を有しており、前記エネルギー蓄積コンデンサネットワークが、前記セクションのそれぞれを順次放電させることによって、インピーダンス補償された細動除去パルスを送出するように構成されている、
請求項１に記載の細動除去装置。
【請求項１５】
患者にインピーダンス補償された細動除去パルスを送出するための方法であって、
前記患者の患者インピーダンスを測定するステップと、
前記患者インピーダンスに応答して、インピーダンス補償された細動除去パルスを前記患者に送出するために、エネルギー蓄積コンデンサネットワークにおける１組の構成から選択するステップと、及び
前記インピーダンス補償された細動除去パルスを前記患者に送出するステップと、
を含む方法。
【請求項１６】
選択されるエネルギーレベルに応答して、前記１組の構成から選択するステップを更に含む、請求項１５に記載の患者にインピーダンス補償された細動除去パルスを送出するための方法。
【請求項１７】
前記選択されるエネルギーレベルがあるレベルに固定されている、請求項１６に記載の患者にインピーダンス補償された細動除去パルスを送出するための方法。
【請求項１８】
前記選択されるエネルギーレベルがプロトコルに従って決定される、請求項１６に記載の患者にインピーダンス補償された細動除去パルスを送出するための方法。
【請求項１９】
前記選択されるエネルギーレベルが、ユーザによって手動で選択される、請求項１６に記載の患者にインピーダンス補償された細動除去パルスを送出するための方法。
【請求項２０】
高電圧充電器を利用して、前記エネルギー蓄積コンデンサネットワークを充電するステップを更に含む、請求項１５に記載の患者にインピーダンス補償された細動除去パルスを送出するための方法。
【請求項２１】
１対の電極を介して、前記患者を前記エネルギー蓄積コンデンサネットワークに結合するステップを更に含む、請求項１５に記載の患者にインピーダンス補償された細動除去パルスを送出するための方法。
【請求項２２】
ピーク電流が最大値未満の前記インピーダンス補償された細動除去パルスを前記患者に送出するステップを更に含む、請求項１５に記載の患者にインピーダンス補償された細動除去パルスを送出するための方法。
【請求項２３】
細動除去装置であって、
患者に結合するための１対の電極と、
前記１対の電極に結合されて、患者インピーダンスとＥＣＧ信号を送出するフロントエンド回路と、
前記１対の電極に結合されたＨＶスイッチと、
複数の構成を有するエネルギー蓄積コンデンサネットワークと、及び
前記フロントエンド回路、前記ＨＶスイッチ、及び前記エネルギー蓄積コンデンサネットワークに結合されたコントローラと、
を含み、
前記コントローラが、前記患者インピーダンス及び選択されるエネルギーレベルに基づいて前記構成のうちの１つを選択し、前記ＥＣＧ信号における衝撃性の律動を検出することに応じて、前記ＨＶスイッチを介してインピーダンス補償された細動除去パルスを前記患者に送出する、
細動除去装置。
【請求項２４】
前記選択されるエネルギーレベルが、あるレベルに固定されている、請求項２３に記載の細動除去装置。
【請求項２５】
前記選択されるエネルギーレベルが、プロトコルに従って決定される、請求項２３に記載の細動除去装置。
【請求項２６】
前記選択されるエネルギーレベルが、ユーザによって手動で選択される、請求項２３に記載の細動除去装置。
【請求項２７】
前記選択されるエネルギーレベルが、前記患者インピーダンスの関数として決定される、請求項２３に記載の細動除去装置。
【請求項２８】
前記エネルギー蓄積コンデンサネットワークに結合されて、前記エネルギー蓄積コンデンサネットワークを充電するための高電圧充電器を更に含む、請求項２３に記載の細動除去装置。
【請求項２９】
前記コントローラが、前記インピーダンス補償された細動除去パルスの持続時間及び極性を決定する、請求項２３に記載の細動除去装置。
【請求項３０】
前記インピーダンス補償された細動除去パルスが、単相、二相、及び多相のパルスのうちの１つを含む、請求項２３に記載の細動除去装置。
【請求項３１】
前記エネルギー蓄積コンデンサネットワークが、２００ジュールを超える前記選択されるエネルギーレベルを供給する、請求項２３に記載の細動除去装置。
【請求項３２】
前記エネルギー蓄積コンデンサネットワークが、
前記ＨＶスイッチに対して直列及び並列に結合された複数のコンデンサと、
前記コンデンサのそれぞれとアースとの間に結合された複数のスイッチと、
を含み、
前記エネルギー蓄積コンデンサネットワークが、前記構成のうちの前記１つに従って、前記複数のスイッチを設定することによって、インピーダンス補償された細動除去パルスを送出するように構成されている、請求項２３に記載の細動除去装置。
【請求項３３】
前記インピーダンス補償された細動除去パルスが、最大値未満のピーク電流を有している、請求項２３に記載の細動除去装置。
【請求項３４】
インピーダンス補償された細動除去パルスを患者に送出するための方法であって、
前記患者に結合するための１対の電極を設けるステップと、
前記電極に結合されるＨＶスイッチを設けるステップと、
前記ＨＶスイッチに結合されるエネルギー蓄積コンデンサネットワークに並列に結合された複数のセクションであって、そのセクションのそれぞれが、直列に結合されたコンデンサ、抵抗器、及びダイオードを含む、複数のセクションを設けるステップと、
他のセクションとのランク順に、ある充電電圧まで各コンデンサを充電するステップと、及び
前記セクションのそれぞれを順次放電させることによって、前記ＨＶスイッチ及び前記１対の電極を介して、インピーダンス整合した細動除去パルスを前記患者に送出するステップと、
を含む、方法。
【請求項３５】
前記ＨＶスイッチに結合されたコントローラを設けるステップを更に含む、請求項３４に記載のインピーダンス補償された細動除去パルスを患者に送出するための方法。
【請求項３６】
前記コントローラが、前記インピーダンス補償された細動除去パルスの持続時間及び極性を決定する、請求項３５に記載のインピーダンス補償された細動除去パルスを患者に送出するための方法。
【請求項３７】
前記インピーダンス補償された細動除去パルスが、単相、二相、及び多相のパルスのうちの１つを含む、請求項３６に記載の方法。
【請求項３８】
直列に結合され、高電圧充電器を用いて充電される複数のコンデンサを有するエネルギー蓄積コンデンサネットワークにおける故障検出抵抗器ネットワークであって、
前記複数のコンデンサのそれぞれの両端に分路をなすように結合されて、第１のテスト電圧を生じさせる第１の抵抗器ネットワークと、
前記高電圧充電器の両端に結合されて、第２のテスト電圧を生じさせる第２の抵抗器ネットワークと、及び
前記第１及び第２のテスト電圧に結合されて、前記第１のテスト電圧が所定の限界を超えて前記第２のテスト電圧と異なる場合、故障信号を発生する比較回路と、
を含む、故障検出抵抗器ネットワーク。